(57)【要約】【課題】収納庫本体の下部に設けられた引出し式の収納箱への収納効率を低下させることなく、かつ腰を屈めることなく、収納物を容易に出し入れできるキッチン用収納庫を提供する。【解決手段】収納箱支持手段５を移動可能に支持する水平移動支持手段６と、収納箱支持手段５の水平方向の移動をロックするロック手段１５と、収納箱３を昇降可能に支持する回動フレーム７とを備えている。収納箱３を引き出すと、収納箱支持手段５が引出し方向に水平に移動し、収納箱３が収納庫本体１から引き出され、収納庫本体内では、収納箱３が上昇しないので、収納箱上の空間が狭くなることがなく、よって、収納効率が低下することがない。収納箱３が引き出されると、ロック手段１５によって収納箱支持手段５の水平方向への移動がロックされ、回動フレーム７によって収納箱３が昇降可能となるので、収納箱３の把手等を持って引上げることによって、収納箱３が上昇する。【選択図】図１
2007117539.tif 000002
【特許請求の範囲】
【請求項１】
収納庫本体の下部に、収納箱が引出し自在に収納されたキッチン用収納庫において、
前記収納箱は収納箱支持手段によって支持されており、
前記収納箱支持手段を水平方向に移動可能に支持する水平移動支持手段と、
前記収納箱支持手段が水平に移動して前記収納箱が引き出された際に、前記収納箱支持手段の水平方向の移動をロックするロック手段と、
前記収納箱を昇降可能に支持する昇降支持手段とを備えたことを特徴とするキッチン用収納庫。
【請求項２】
前記収納箱支持手段が水平方向に移動する際に前記収納箱の上昇を阻止する上昇阻止手段と、
前記収納箱支持手段が水平方向に移動して、前記収納箱が引き出された際に、前記昇降支持手段による前記収納箱の上昇を可能とする収納箱上昇許可手段とを備えたことを特徴とする請求項１に記載のキッチン用収納庫。
【請求項３】
前記収納箱支持手段は、前記水平移動支持手段に支持された水平移動フレームと、この水平移動フレームに設けられた前記昇降支持手段とを備え、
この昇降支持手段は、前記水平移動フレームに上下方向に回動可能に支持された回動フレームで構成されていることを特徴とする請求項１または請求項２に記載のキッチン用収納庫。
【発明の詳細な説明】
【技術分野】
【０００１】
本発明は、キッチンに設置された流し台や収納棚等に設けられたキッチン用収納庫に関する。
【背景技術】
【０００２】
リビング等に比して比較的狭いスペースであるキッチンでは、収納場所を確保するために、流し台に収納庫を設ける場合が多い。このようなキッチン用収納庫では、収納庫本体の下部に、引出し式の収納箱を設ける場合がある。このような場合、収納箱に物を出し入れする場合、腰を屈めて行う必要があり、腰に負担がかかるという問題がある。
この問題を解決するために、特許文献１に記載の収納庫が知られている。この収納庫は収納庫の引出し昇降装置を備えている。この昇降装置は、収納庫本体内に水平に引出し自在に収納される収納箱が昇降自在の底板を有し、上記底板を昇降させるリンク機構が設けられ、上記リンク機構は、底板と収納庫本体の底面とを連結するジャッキ型に組まれた２本の軸から成り、一方の軸の一端部は収納庫本体側に回転自在に支持されると共に他端部は底板側に設けた一方のレール部材に沿って前後方向に移動自在に支持され、他方の軸の一端部は底板側に回転自在に支持されると共に他端部は収納庫本体側に設けた他方のレール部材に沿って前後方向に移動自在に支持され、上記２本の軸は、収納箱の前進移動に連動して各軸の他端部が上記各レール部材に沿って前方へ夫々移動して各軸の一端部を支点に夫々上方に起立して底板を上昇させ、且つ収納箱の後退移動に連動して各軸の他端部が各レール部材に沿って夫々後方へ移動して各軸の一端部を支点に夫々下方に傾倒して底板を下降させるように構成されている。
このような収納庫では、納箱を水平に引き出すと同時に、リンク機構の働きによって底板が上昇するので、収納箱の出し入れの際にしゃがむ姿勢をとらなくて済み、収納物の出し入れを楽に行うことができる。
【０００３】
【特許文献１】特開平６−２４５８２９号公報
【発明の開示】
【発明が解決しようとする課題】
【０００４】
ところが、上記特許文献１に記載の収納庫では、収納箱を水平に引き出すと同時に、リンク機構の働きによって底板が上昇するので、収納箱の上の空間が次第に狭くなっていく。したがって、収納箱には狭くなる空間を見込んだ高さの収納物を収納する必要があるので、本来の収納箱に収納できる収納物より低い収納物しか収納できず、収納効率が低下してしまうという問題がある。
【０００５】
本発明は、上記事情に鑑みてなされたもので、収納庫本体の下部に設けられた引出し式の収納箱への収納効率を低下させることなく、かつ腰を屈めることなく、収納物を容易に出し入れできるキッチン用収納庫を提供することを目的とする。
【課題を解決するための手段】
【０００６】
上記目的を達成するために、本発明の請求項１に記載のキッチン用収納庫は、収納庫本体の下部に、収納箱が引出し自在に収納されたキッチン用収納庫において、
前記収納箱は収納箱支持手段によって支持されており、
前記収納箱支持手段を水平方向に移動可能に支持する水平移動支持手段と、
前記収納箱支持手段が水平に移動して前記収納箱が引き出された際に、前記収納箱支持手段の水平方向の移動をロックするロック手段と、
前記収納箱を昇降可能に支持する昇降支持手段とを備えたことを特徴とする。
【０００７】
ここで、前記昇降支持手段は、前記収納箱支持手段に一体的に備えてもよいし、収納箱支持手段と別体に設けてもよい。
また、昇降支持手段を収納箱支持手段に一体的に備えた場合、この昇降箱支持手段が水平移動する際は、収納箱の上昇を阻止するように構成するのが望ましい。
【０００８】
請求項２に記載のキッチン用収納庫は、請求項１に記載の発明において、
前記収納箱支持手段が水平方向に移動する際に前記収納箱の上昇を阻止する上昇阻止手段と、
前記収納箱支持手段が水平方向に移動して、前記収納箱が引き出された際に、前記昇降支持手段による前記収納箱の上昇を可能とする収納箱上昇許可手段とを備えたことを特徴とする。
【０００９】
請求項３に記載のキッチン用収納庫は、請求項１または請求項２に記載の発明において、
前記収納箱支持手段は、前記水平移動支持手段に支持された水平移動フレームと、この水平移動フレームに設けられた前記昇降支持手段とを備え、
この昇降支持手段は、前記水平移動フレームに上下方向に回動可能に支持された回動フレームで構成されていることを特徴とする。
【発明の効果】
【００１０】
本発明の請求項１に記載のキッチン用収納庫によれば、収納庫本体の下部に設けられた収納箱を引き出すと、この収納箱とともに収納箱支持手段が水平移動支持手段に支持されて引出し方向に水平に移動し、該収納箱が収納庫本体から引き出される。このように、収納庫本体内では、収納箱が上昇しないので、収納箱上の空間が狭くなることがなく、よって、収納効率が低下することがない。
そして、収納箱が引き出されると、ロック手段によって収納箱支持手段の水平方向への移動がロックされる。収納箱支持手段がロックされると、昇降支持手段によって収納箱が昇降可能となるので、収納箱の把手等を持って引上げることによって、収納箱が上昇する。したがって、腰を屈めることなく、収納物を容易に出し入れできる。
【００１１】
請求項２に記載のキッチン用収納庫によれば、収納箱支持手段が水平方向に移動する際には、上昇阻止手段によって収納箱の上昇が阻止されているので、収納箱は収納庫本体内で上昇することがない。したがって、収納箱の把手を若干引上げるようにして収納箱を引き出す際に、収納箱が上昇するのを防止できる。
また、収納箱支持手段が水平方向に移動して、収納箱が引き出された際に収納箱上昇許可手段によって、昇降支持手段による収納箱の上昇を可能とするので、収納箱を容易に引上げることができる。
【００１２】
請求項３に記載のキッチン用収納庫によれば、昇降支持手段が水平移動フレームに上下方向に回動可能に支持された回動フレームで構成されているので、収納箱を回動フレームの上下の回動によって容易に昇降させることができる。
【発明を実施するための最良の形態】
【００１３】
以下、図面を参照して本発明の実施の形態について説明する。
図１〜図８は本発明に係るキッチン収納庫の一例を示す。
図１〜図５に示すように、収納庫本体１の下部には、上下３段の引出し式の収納箱２，３，４が引出し自在に収納されており、収納箱２，３の前板２ａ，３ａには把手２ｂ，３ｂが取り付けられており、この把手２ｂ，３ｂを持って引き込むことによって、収納箱２，３を収納庫本体１から引き出すようになっている。また、収納箱４の前板４ａの下部裏面側には隙間があり、この隙間から手を入れて前板４ａの下部裏面を引き込むことによって、収納箱４を収納庫本体１から引き出すようになっている。
【００１４】
中段に位置する収納箱３は、上下段の収納箱２，４より上下の高さが高くなっており、この収納箱３に背の高い収納物を収納するようになっている。
この収納箱３は、引き出された後、引上げられる構造となっており、本発明に係るものである。したがって、以下では、収納箱３とその支持構造について詳細に説明する。
【００１５】
収納箱３は、前板３ａと、背板３ｅと、前板３ａと背板３ｅとを連結する側板３ｃ，３ｃとを備えた箱状に形成されており、前板３ａは背板３ｅや側板３ｃ，３ｃに比して高くなっている。側板３ｃ，３ｃは前板３ａに比して格段に低く、その先端部は前板３ａの裏面下部に連結されている。また、背板３ｅは、側板３ｃ，３ｃより若干高いが、前板３ａより低くなっている。さらに、背板３ｅと前板３ａとの間には連結バー３ｄ，３ｄが取り付けられている。
【００１６】
上記のような収納箱３は収納箱支持手段５によって支持されている。以下に収納箱支持手段５について説明する。
すなわち、まず、収納箱支持手段５は、水平移動フレーム６と、この水平移動フレーム６に設けられた昇降支持手段７とを備えている。
水平移動フレーム６は板状に形成されたもので、左右一対対向して設けられている（図６参照）。これら水平移動フレーム６，６の下部どうしは、連結ロッド６ｅ，７ｅによって連結されており、これによって水平移動フレーム６，６は同期して前後方向（図１〜図５において左右方向）に移動するようになっている。
また、水平移動フレーム６の下端部には、前後方向（図１〜図５において左右方向）に所定間隔で３つのローラ６ａ，６ｂ，６ｃが取り付けられており、ローラ６ａの下方にはローラ６ｄが所定の隙間をもって取り付けられている。
【００１７】
一方、収納庫本体１の内側面には、水平移動フレーム６，６を水平方向に移動可能に支持する水平移動支持手段８，８が左右一対対向して固定されている。この水平移動支持手段８は、前後方向に延在するガイドレール８ａと、このガイドレール８ａの先端部に固定された先端部材８ｂとで構成されている。
ガイドレール８ａは断面コ字状に形成されており、その内側に前記３つのローラ６ａ，６ｂ，６ｃが位置しており、下フランジの下側にローラ６ｄが位置している。また、ローラ６ａはガイドレール８ａの下フランジの上面に転動可能に当接しており、ローラ６ｄは下フランジの下面に転動可能に当接している。さらに、ローラ６ｂは上フランジの下面に転動可能に当接しており、ローラ６ｃは下フランジの下面に当接するとともに、水平移動フレーム６の下部から前方に若干突出している。
そして、水平移動フレーム６は、そのローラ６ｂがガイドレール８ａの上フランジの下面を転動するとともに、ローラ６ａ，６ｄが下フランジの上面および下面を挟むようにして転動し、さらに、ローラ６ｃが下フランジの上面を転動することによって、水平方向（前後方向）に移動するようになっている。このようにして、水平移動フレーム６は、水平移動支持手段８によって水平方向（前後方向）に移動可能に支持されている。
また、水平移動フレーム６は前方に移動して収納箱３が所定量だけ引き出されると、ローラ６ｃがガイドレール８ａの先端部に固定された先端部材８ｂの後端部に当接して、それ以上の移動が阻止され、これによって、水平移動フレーム６の最大引出し位置、すなわち収納箱３の最大引出し位置が決定される。
【００１８】
前記昇降支持手段７は以下のように構成されている。すなわち、まず、昇降支持手段７は、水平移動フレーム６に上下方向に回動可能に支持された回動フレーム７で構成されている。この回動フレーム７は板状に形成されたもので、左右一対対向して設けられている（図６参照）。また、左右一対の回動フレーム７，７は水平移動フレーム６，６間に設けられている。
回動フレーム７の上端部は、水平移動フレーム６の上端部に軸９によって回動可能に連結されている。また、軸９は回動フレーム７，７間に延在するように配設されており、回動フレーム７，７どうしを連結している。したがって、この軸９、７f、７eによって回動フレーム７，７は同期して回動するようになっている。
【００１９】
また、回動フレーム７の側面には、ピン７ａ，７ａが軸９を中心として対称的に立設されており、該ピン７ａ，７ａは、水平移動フレーム６の上端部に形成された円弧状の長穴６ｆ，６ｆにこの長穴６ｆ，６ｆに沿って移動可能に挿通されている。長穴６ｆ，６ｆは、軸９を中心として対称的に形成されており、長穴６ｆ，６ｆ内をピン７ａ，７ａが移動できる長さの分だけ、回動フレーム７が軸９を支点として上下に回動できるようになっている。そして、ピン７ａ，７ａが長穴６ｆ，６ｆの一方の端部に当接した位置で、回動フレーム７がほぼ鉛直になり、長穴６ｆ，６ｆの他方の端部に当接した位置で、回動フレーム７がほぼ水平になるように、長穴６ｆ，６ｆの長さが設定されている。
また、回動フレーム７，７の上端どうしは、連結ロッド７ｅによって連結されており、回動フレーム７，７の下端どうしは、連結ロッド７ｆによって連結されている。さらに、連結ロッド７ｅは、図６に示すように、連結部材７ｇ，７ｇの一端部が固定されており、この連結部材７ｇ，７ｇの他端部は前記軸９に回動可能に連結されている。
したがって、回動フレーム７，７が軸９を支点として回動すると、これら回動フレーム７，７は同期して回動するようになっている。
【００２０】
また、回動フレーム７の下端部には、ローラ７ｈが取り付けられており、このローラ７ｈは回動フレーム７がほぼ鉛直になっている状態で、前記ガイドレール８ａの下フランジの下側に、前記ローラ６ｃと対向して配置されている。この状態でローラ７ｈは下フランジの下面に転動可能に当接している。したがって、この状態では、回動フレーム７は水平移動フレーム６とともにガイドレールａに沿って前後に移動可能であるが、軸９を支点とする回動は阻止されている。つまり、回動フレーム７が反時計回りに回動することによる収納箱３の上昇が阻止されている。したがって、ガイドレール８ａとローラ７ｈとによって上昇阻止手段１０が構成されている。
また、図６に示すように、回動フレーム７，７どうしを連結する連結ロッド７ｅと、水平移動フレーム６，６どうしを連結する連結ロッド６ｅとは引張りバネ６ｇ，６ｇによって連結されており、これによって、回動フレーム７，７は軸９を支点とする反時計回りに付勢されている。そして、この付勢力によって回動フレーム７の下端部のローラ７ｈが下フランジの下面に当接している。
【００２１】
また、図２に示すように、回動フレーム７が水平移動フレーム６とともにガイドレール８ａに沿って前方に移動してきて、図３および図７に示すように、ローラ６ｃがガイドレール８ａの先端部の先端部材８ｂに当接した位置において、ローラ７ｈは先端部材８ｂの直前に位置する。先端部材８ｂの下面は滑らかな円弧面に形成されている。この円弧面は、回動フレーム７が軸９を支点として回動する際に、該回動フレーム７の下部に取り付けられたローラ７ｈの回転軌跡に沿うように形成されたガイド面８ｃであり、このガイド面８ｃは先端部材８ｂの上面まで形成されている。
そして、ローラ６ｃが先端部材に当接してローラ７ｈが先端部材８ｂの直前に位置した際に、図４に示すように、回動フレーム７が上方に回転すると、ローラ７ｈはガイド面８ｃを転動していきつつガイド面８ｃに沿って上昇し、さらに、図５および図８に示すように、該ガイド面８ｃから離脱して回動フレーム７が水平になるまで上昇していくようになっている。このようなガイド面８ｃおよびローラ７ｈが収納箱上昇許可手段１１を構成している。すなわち、収納箱上昇許可手段１１では、水平移動フレーム６と回動フレーム（昇降支持手段）７とを備えた収納箱支持手段５がガイドレール８ａに沿って前方に移動して収納箱３が引き出された際に、ローラ７ｈがガイド面８ｃの直前に位置しており、その前方にローラ７ｈが転動しつつ上昇可能なガイド面８ｃが位置するので、回動フレーム７による収納箱３の上昇を可能としている。
【００２２】
前記収納箱３は、収納箱支持手段５の水平移動フレーム６と回動フレーム７に以下のようにして支持されている。
すなわち、まず、図１および図６に示すように、水平移動フレーム６の先端部には、中間部が折曲している第１リンク１２ａの基端部が回動可能に連結されている。また、回動フレーム７の下端部には第２リンク１２ｂの基端部が回動可能に連結されている。そして、第１リンク１２ａの先端部が第２リンク１２ｂの中間部に回動可能に連結されている。また、第２リンク１２ｂの先端部にはピン１２ｃが取り付けられており、このピン１２ｃは長穴１３に、この長穴１３の長手方向に移動可能に挿通されている。この長穴１３は収納箱３の側板３ｃに形成されたものである。したがって、収納箱３はピン１２ｃを介して第２リンク１２ｂによって支持されている。
また、ローラ７ｈを軸支している軸７ｂは収納箱３の側板３ｃの後角部に軸回りに回転可能に挿通され、これによって、収納箱３は軸７ｂを介して回動フレーム７によって支持されている。
【００２３】
このように収納箱３は、回動フレーム７と第２リンク１２ｂとによって２箇所で支持されており、第２リンク１２ｂは第１リンク１２ａを介して水平移動フレーム６に支持されている。したがって、収納箱３が所定量だけ引き出され際に、該収納箱３を引上げると、収納箱３は、回動フレーム７の上方への回転とともに、斜め上方に円弧を描くようにして上昇していき、これに伴い、ピン１２ｃが長穴１３内を前方に移動する。また、これに伴い、第２リンク１２ｂがその基端部を支点として上方に回転するようにして前方に伸びていくとともに、第１リンク１２ａがその基端部を支点として上方に回転するようにして前方に伸びていく。これによって、収納箱３はほぼ水平状態に保持されながら、斜め上方に円弧を描くようにして上昇する。
【００２４】
また、前記収納箱３の側板３ｃ，３ｃには、長尺な水平板３ｆ，３ｆが収納箱３の引出し方向に沿って、前板３ａの裏面から所定長さだけ形成されている。
一方、収納庫本体１の内側面には、ローラ２０，２０が収納庫本体１の、収納箱３を収納する開口部付近に取り付けられている。
そして、水平板３ｆ，３ｆはローラ２０，２０に載せられるとともに、収納箱３の前方への移動によって、ローラ２０，２０が回転するようになっている。また、水平板３ｆ，３ｆは図４に示すように、収納箱３が所定量だけ引き出された際に、ローラ２０，２０から離れるように、長さが設定されている。
したがって、収納箱３は収納庫本体１内に収納されているとき、前方に移動しているときは、ローラ２０，２０によって下方から支持されて、下方への倒れが防止されている。
【００２５】
また、前記収納箱３が所定量だけ引き出された際に、収納箱支持手段５の水平方向の移動をロックするロック手段１５が設けられている。このロック手段１５は以下のように構成されている。
すなわち、まず、収納庫本体１の内側面には、ロック爪１６が軸１７を支点として回転可能に取り付けられている。このロック爪１６は半円状に形成された係合部１６ａと、上部被操作面１６ｂと、下部被操作面１６ｃとを備えている。このようなロック爪１６は、収納箱３が収納されている状態、つまり、収納箱支持手段５が収納庫本体１の奥側に位置している状態では、図１に示すように、係合部１６ａが下側に向き、上部被操作面１６ｂが斜め後方に向き、下部被操作面１６ｃが斜め前方に向いている。
【００２６】
一方、収納箱支持手段５を構成する回動フレーム７には、リブ７ｃ，７ｄが外側（収納庫本体１の内側面側）に突出して形成されている。リブ７ｃはロック爪１６の上部被操作面１６ｂを押圧操作するものであり、リブ７ｄは下部被操作面１６ｃを押圧操作するものである。
また、収納箱支持手段５を構成する水平移動フレーム６には、ロックピン１６ｄが設けられている。ロックピン１６ｄは前記係合部１６ａに係合するものである。
【００２７】
そして、収納箱３を引き出すことによって、収納箱支持手段５が奥側から前方に移動してきて、図２および図３に示すように、回動フレーム７のリブ７ｃがロック爪１６の上部被操作面１６ｂを押圧操作すると、ロック爪１６が時計回りに回転して、係合部１６ａが上昇する。さらに、収納箱支持手段５が前方に移動すると、ロックピン１６ｄが係合部１６ａの直下に位置し、さらに、収納箱支持手段５が前方に移動すると、リブ７ｄがロック爪１６の下部被操作面１６ｃを押圧操作する。すると、ロック爪１６が反時計方向に回転して、図４に示すように、係合部１６ａがロックピン１６ｄに係合する。これによって、回動フレーム７は、その後方への移動が阻止された状態となる。
そして、この状態で回動フレーム７が反時計回りに回動することによって、上昇してほぼ水平となり、これに伴って、収納箱３がほぼ水平状態に保持されながら、斜め上方に円弧を描くようにして上昇する。
【００２８】
次に、上記構成のキッチン用収納庫の作用効果について説明する。
まず、図１および図６に示す状態では、収納箱３が収納庫本体１内に収納されている。この状態において、収納箱３の後端部は収納箱支持手段５によって支持され、前端部はローラ２０，２０によって支持されて、ほぼ水平となっている。
【００２９】
次に、把手３ｂを持って収納箱３を引き出すと、図２に示すように、この収納箱３とともに収納箱支持手段５が水平移動支持手段８に支持されて引出し方向（前方）に水平に移動する。つまり、収納箱支持手段５の水平移動フレーム６がガイドレール８ａにガイドされて前方に移動する。この場合、水平移動フレーム６のローラ６ｂがガイドレール８ａの上フランジの下面を転動するとともに、ローラ６ａ，６ｄが下フランジの上面および下面を挟むようにして転動し、さらに、ローラ６ｃが下フランジの上面を転動することによって、前方に移動する。また同時に、回動フレーム７のローラ７ｈがガイドレール８ａの下フランジの下面を転動する。これによって、回動フレーム７の反時計回りの回転が阻止されている。つまり、ガイドレール８ａとローラ７ｈとで構成された上昇阻止手段１０によって、回動フレーム７の回動による収納箱３の上昇が阻止されている。このように、収納庫本体１内では、収納箱３が上昇しないので、収納箱３上の空間が狭くなることがなく、よって、収納効率が低下することがない。また、収納箱３の把手３ｂを若干引上げるようにして収納箱を引き出す際に、収納箱３が上昇するのを防止できる。
また、回動フレーム７の時計回りの回転は、そのピン７ａ，７ａが水平移動フレーム６の上端部に形成された円弧状の長穴６ｆ，６ｆの端部に当接していることによって阻止されている。したがって、回動フレーム７はほぼ鉛直に姿勢を保持した状態で水平移動フレーム６とともに前方に移動する。
【００３０】
次に、図３および図７に示すように、収納箱３が所定量引き出されると、水平移動フレーム６のローラ６ｃがガイドレール８の先端部材８ａに当接して、その以上の移動が阻止され、さらに、ロック手段１５によって、収納箱支持手段５の水平方向への移動がロックされる。すなわち、収納箱支持手段５が奥側から前方に移動してきて、回動フレーム７のリブ７ｃがロック爪１６の上部被操作面１６ｂを押圧操作することによって、ロック爪１６が時計回りに回転して、係合部１６ａが上昇する。さらに、収納箱支持手段５が前方に移動すると、ロックピン１６ｄが係合部１６ａの直下に位置し、さらに、収納箱支持手段５が前方に移動すると、リブ７ｄがロック爪１６の下部被操作面１６ｃを押圧操作する。すると、ロック爪１６が反時計回りに回転して、図４に示すように、係合部１６ａがロックピン１６ｄに係合する。これによって、回動フレーム７は、その後方への移動が阻止された状態となる。
【００３１】
また、収納箱支持手段５の水平移動フレーム６が前方に移動して、収納箱３が引き出された際に収納箱上昇許可手段１１によって、回動フレーム７による収納箱３の上昇を可能とする。すなわち、水平移動フレーム６のローラ６ｃがガイドレール８の先端部材８ａに当接すると同時に、回動フレーム７のローラ７ｈが前記先端部材８ａのガイド面８ｃの直前に位置するので、この位置からローラ７ｈはガイド面８ｃ上を転動して、斜め上方に移動可能となり、これによって、回動フレーム７が反時計回りに回動可能となる。したがって、収納箱３が上昇可能となり、収納箱３を容易に引上げることができる。
【００３２】
次に、収納箱３を引上げると、回動フレーム７が反時計回りに回動することによって、上昇してほぼ水平となり、これに伴って、収納箱３がほぼ水平状態に保持されながら、斜め上方に円弧を描くようにして上昇する。すなわち、収納箱３を引上げると、収納箱３は、回動フレーム７の上方への回動とともに、斜め上方に円弧を描くようにして上昇していき、これに伴い、ピン１２ｃが長穴１３内を前方に移動する。また、これに伴い、第２リンク１２ｂがその基端部を支点として上方に回転するようにして前方に伸びていくとともに、第１リンク１２ａがその基端部を支点として上方に回転するようにして前方に伸びていく。これによって、収納箱３はほぼ水平状態に保持されながら、斜め上方に円弧を描くようにして上昇する。したがって、腰を屈めることなく、収納物を容易に出し入れできる。
また、回動フレーム７は引張りバネ６ｇによって反時計回りに付勢されているので、回動フレーム７が上昇する際には、該回動フレーム７によって収納箱３は上方に付勢されるので、軽い力で収納箱３を引上げることができる。また、引張りバネ６ｇの引張り力を調整することによって、収納箱３に収納する収納物の重さに応じたバランス調整を行うことができる。
【００３３】
なお、引上げた収納箱３を戻す場合は、上記と逆の工程を経て収納箱３が収納庫本体１内に収納される。
また、本実施の形態では、収納箱３を上昇させる手段として、回動フレーム７を採用して、円弧を描くようにして収納箱３を上昇させたが、本発明はこれに限ることはなく、例えば、収納箱３を収納庫本体１から完全に引出した後、真っ直ぐに上昇、下降させる機構を採用してもよい。
さらに、本実施の形態のキッチン用収納庫は、キッチンに据え付ける収納庫であれば、例えば、流し台下の収納庫、食器棚の下部を構成する収納庫等、どのような収納庫にも採用できる。
【図面の簡単な説明】
【００３４】
【図１】本発明に係るキッチン用収納庫の一例を示すもので、（ａ）は収納箱の収納時における側断面図、（ｂ）は要部の拡大図である。
【図２】同、（ａ）は収納箱の引出し途中における側断面図、（ｂ）は要部の拡大図である。
【図３】同、（ａ）は収納箱を引出した際における側断面図、（ｂ）は要部の拡大図である。
【図４】同、（ａ）は収納箱の引上げ途中における側断面図、（ｂ）は要部の拡大図である。
【図５】同、（ａ）は収納箱を引上げた際における側断面図、（ｂ）は要部の拡大図である。
【図６】本発明に係るキッチン用収納庫の一例を示すもので、収納箱の収納時における要部の斜視図である。
【図７】同、収納箱を引出した際における要部の斜視図である。
【図８】同、収納箱を引上げた際における要部の斜視図である。
【符号の説明】
【００３５】
１  収納庫本体
３  収納庫
５  収納箱支持手段
６  水平移動フレーム
７  回動フレーム（昇降支持手段）
８  水平移動支持手段
１０  上昇阻止手段
１１  収納箱上昇許可手段
１５  ロック手段
【図１】
2007117539.tif 000003
【図２】
2007117539.tif 000004
【図３】
2007117539.tif 000005
【図４】
2007117539.tif 000006
【図５】
2007117539.tif 000007
【図６】
2007117539.tif 000008
【図７】
2007117539.tif 000009
【図８】
2007117539.tif 000010